(57)【特許請求の範囲】
【請求項１】
第１本体、及び前記第１本体に移動可能に連結される第２本体を含む本体部と、
前記第２本体に連結され、前記第２本体とともに移動しながら水供給源の水が外部に排出されるように水供給源に連結される排出部と、を含み、
前記排出部は、水が流動する流路がそれぞれ形成され、前記流路が密封されて連結されるように互いに回転可能に連結される複数個のリンク部材を含み、
前記第１本体には部材貫通孔が形成され、
前記第２本体には、前記部材貫通孔を貫通する移動ガイド部材が備えられ、
前記第２本体には移動ガイド孔が形成され、
前記部材貫通孔側の前記第１本体の部分は、前記移動ガイド孔を通過して前記第２本体の内部に位置し、
前記排出部は、前記移動ガイド孔と、前記第１本体に形成される本体貫通孔とを貫通して水供給源に連結される、ことを特徴とする水排出装置。
【請求項２】
前記排出部は、前記流路が形成され、水供給源に連結され、且つ前記複数個のリンク部材のうち一側のリンク部材が回転可能に連結される供給源連結部材をさらに含む、ことを特徴とする請求項１に記載の水排出装置。
【請求項３】
前記供給源連結部材と前記複数個のリンク部材のうち一部のリンク部材にはそれぞれ第１回転連結部が形成され、
前記複数個のリンク部材のうち一部のリンク部材にはそれぞれ前記第１回転連結部に回転可能に連結される第２回転連結部が形成され、
前記流路は、前記第１回転連結部及び第２回転連結部まで延長形成される、ことを特徴とする請求項２に記載の水排出装置。
【請求項４】
前記第１回転連結部に前記第２回転連結部が挿入されて回転可能に連結される、ことを特徴とする請求項３に記載の水排出装置。
【請求項５】
前記第２回転連結部には、前記第１回転連結部との間を密封する密封部材が備えられる、ことを特徴とする請求項４に記載の水排出装置。
【請求項６】
前記複数個のリンク部材は、
前記供給源連結部材に回転可能に連結される第１リンク部材と、
前記第１リンク部材に回転可能に連結される第２リンク部材と、
前記第２リンク部材に回転可能に連結される第３リンク部材と、を含む、ことを特徴とする請求項３に記載の水排出装置。
【請求項７】
前記供給源連結部材と第１リンク部材及び第３リンク部材にはそれぞれ、前記第１回転連結部が形成され、
前記第１リンク部材及び第２リンク部材にはそれぞれ、前記第２回転連結部が形成される、ことを特徴とする請求項６に記載の水排出装置。
【請求項８】
前記複数個のリンク部材のうち他側のリンク部材及び前記第２本体に連結され、前記他側のリンク部材の流路と外部に連結される排出路が形成される排出部材をさらに含む、ことを特徴とする請求項２に記載の水排出装置。
【請求項９】
前記第２本体には、前記排出部材の一部が外部に露出するように嵌め込まれて連結される嵌込連結孔が形成される、ことを特徴とする請求項８に記載の水排出装置。
【発明の詳細な説明】
【技術分野】
【０００１】
本発明は、水供給源の水を外部に排出する水排出装置に関するものである。
【背景技術】
【０００２】
水排出装置は、水供給源に連結され、水供給源の水を外部に排出して使用者に供給する装置である。水排出装置は、例えば、浄水器などの水処理装置に連結され、水処理装置で処理された水である浄水などの処理水を外部に排出して使用者に供給する。
【０００３】
一方、水排出装置は、水処理装置などの水供給源に移動可能に備えられることができる。これにより、使用者は、自分自身または使用目的に合わせて水排出装置の高さを調節した状態で、水排出装置を介して水供給源の水の供給を受けることができる。
【０００４】
従来、このように水排出装置が水処理装置などの水供給源に移動可能に備えられる場合には、水排出装置や水処理装置などの水供給源は、水排出装置の移動を円滑にするためにフレキシブル管で連結されていた。
【０００５】
しかし、かかる構成は、フレキシブル管が備えられる空間を必要とするため、比較的多くのスペースを占めていた。また、フレキシブル管は、通常、曲線状に曲がっているため、フレキシブル管の曲がった部分に異物が沈着し、使用者に異物が含まれている水を供給していた。そして、長期間使用すると、フレキシブル管が変形したり破損して、水排出装置を介して水供給源から外部への水の排出が円滑に行われなかった。
【発明の概要】
【発明が解決しようとする課題】
【０００６】
本発明は、上記のような従来から発生していた要求または問題の少なくとも何れか一つを認識してなされたものである。
【０００７】
本発明の一目的は、フレキシブル管を使用しなくても、水排出装置が移動可能でありながら、水供給源の水を外部に排出できるようにすることである。
【０００８】
本発明の他の目的は、比較的小さなスペースでも水排出装置が移動できるようにすることである。
【０００９】
本発明のさらに他の目的は、水排出装置の衛生性を向上させることにより、使用者に異物が含まれていない水を供給するようにすることである。
【００１０】
本発明のさらに他の目的は、水排出装置を介した水供給源から外部への水の排出が円滑に行われるようにすることである。
【課題を解決するための手段】
【００１１】
上記課題のうち少なくとも一つの課題を実現するための一実施形態に係る水排出装置は、次のような特徴を有することができる。
【００１２】
本発明の一実施形態による水排出装置は、第１本体、及び上記第１本体に移動可能に連結される第２本体を含む本体部と、上記第２本体に連結され、上記第２本体とともに移動しながら水供給源の水が外部に排出されるように水供給源に連結される排出部と、を含み、上記排出部は、水が流動する流路がそれぞれ形成され、上記流路が密封されて連結されるように互いに回転可能に連結される複数個のリンク部材を含むことができる。
【００１３】
この場合、上記排出部は、上記流路が形成され、水供給源に連結され、且つ上記複数個のリンク部材のうち一側のリンク部材が回転可能に連結される供給源連結部材をさらに含むことができる。
【００１４】
また、上記供給源連結部材と上記複数個のリンク部材のうち一部のリンク部材にはそれぞれ第１回転連結部が形成され、上記複数個のリンク部材のうち一部のリンク部材にはそれぞれ上記第１回転連結部に回転可能に連結される第２回転連結部が形成され、上記流路は、上記第１回転連結部及び第２回転連結部まで延長形成されることができる。
【００１５】
そして、上記第１回転連結部に上記第２回転連結部が挿入されて回転可能に連結されることができる。
【００１６】
また、上記第２回転連結部には、上記第１回転連結部との間を密封する密封部材が備えられることができる。
【００１７】
そして、上記複数個のリンク部材は、上記供給源連結部材に回転可能に連結される第１リンク部材と、上記第１リンク部材に回転可能に連結される第２リンク部材と、上記第２リンク部材に回転可能に連結される第３リンク部材と、を含むことができる。
【００１８】
また、上記供給源連結部材と第１リンク部材及び第３リンク部材にはそれぞれ上記第１回転連結部が形成され、上記第１リンク部材及び第２リンク部材にはそれぞれ上記第２回転連結部を形成することができる。
【００１９】
そして、上記複数個のリンク部材のうち他側のリンク部材及び上記第２本体に連結され、上記他側のリンク部材の流路と外部に連結される排出路が形成される排出部材をさらに含むことができる。
【００２０】
また、上記第１本体には部材貫通孔が形成され、上記第２本体には上記部材貫通孔を貫通する移動ガイド部材が備えられることができる。
【００２１】
そして、上記第２本体には移動ガイド孔が形成され、上記部材貫通孔側の上記第１本体の部分は、上記移動ガイド孔を通過して上記第２本体の内部に位置することができる。
【００２２】
また、上記排出部は、上記移動ガイド孔と、上記第１本体に形成される本体貫通孔とを貫通して水供給源に連結されることができる。
【００２３】
そして、上記第２本体には、上記排出部材の一部が外部に露出するように嵌め込まれて連結される嵌込連結孔を形成することができる。
【発明の効果】
【００２４】
以上のような本発明の実施形態によると、フレキシブル管を使用することなく、複数個のリンク部材を使用することにより、水排出装置が移動可能でありながら、水供給源の水を外部に排出することができる。
【００２５】
また、本発明の実施形態によると、比較的小さなスペースでも水排出装置を移動可能にすることができる。
【００２６】
尚、本発明の実施形態によると、水排出装置の衛生性を向上させることにより、使用者に異物が含まれていない水を供給することができる。
【００２７】
さらに、本発明の実施形態によると、水排出装置を介した水供給源から外部への水の排出が円滑に行われることができる。
【図面の簡単な説明】
【００２８】
【図１】本発明による水排出装置の前面斜視図である。
【図２】本発明による水排出装置の背面斜視図である。
【図３】本発明による水排出装置の本体部を分解した状態の水排出装置の斜視図である。
【図４】本発明による水排出装置の排出部の分解斜視図である。
【図５】本発明による水排出装置の排出部の流路及び排出路を示す断面図である。
【図６】本発明による水排出装置の作動を示す図である。
【図７】本発明による水排出装置の作動を示す図である。
【図８】本発明による水排出装置の作動を示す図である。
【発明を実施するための形態】
【００２９】
上記のような本発明の特徴が容易に理解されるように、以下では、本発明の実施形態による水排出装置についてより詳細に説明する。
【００３０】
以下で説明される実施形態では、本発明の技術的な特徴を理解させるのに最も適した実施形態に基づいて説明するが、説明される実施形態により本発明の技術的な特徴が制限されるのではなく、以下で説明される実施形態のように、本発明を実現できることを例示するためのものである。したがって、本発明は、以下で説明された実施形態から本発明の技術範囲内で様々な変形実施が可能であり、このような変形実施形態は本発明の技術範囲内に属する。そして、以下で説明される実施形態の理解を助けるために添付された図面に記載の符号に関しては、各実施形態において同一の作用をする構成要素のうち関連する構成要素に対して同一または延長線上の数字で表記した。
【００３１】
以下、図１から図８を参照して、本発明による水排出装置の一実施形態について説明する。
【００３２】
図１は本発明による水排出装置の前面斜視図であり、図２は本発明による水排出装置の背面斜視図である。
【００３３】
また、図３は本発明による水排出装置の本体部を分解した状態の水排出装置の斜視図であり、図４は本発明による水排出装置の排出部の分解斜視図であり、図５は本発明による水排出装置の排出部の流路及び排出路を示す断面図である。
【００３４】
そして、図６から図８は本発明による水排出装置の作動を示す図である。
【００３５】
本発明による水排出装置１００の一実施形態は、本体部２００と、排出部３００と、を含むことができる。
【００３６】
本体部２００は、第１本体２１０と、第２本体２２０と、を含むことができる。
【００３７】
第１本体２１０は、水供給源（不図示）の装置本体（不図示）に連結されることができる。水供給源は、例えば、浄水器のなどの水処理装置（不図示）であってもよい。また、第１本体２１０は、水処理装置に含まれる装置本体にボルトなどによって連結されることができる。これにより、第１本体２１０は、水処理装置の装置本体に固定されるように備えられることができる。
【００３８】
しかし、水供給源は、特に限定されず、水を供給することができるものであれば如何なるものであってもよい。そして、第１本体２１０が、水供給源の装置本体、例えば、水処理装置の装置本体に連結される構成も、特に限定されず、装置本体に連結される構成であれば、周知の如何なる構成であってもよい。
【００３９】
第１本体２１０には、図３に示すように、部材貫通孔２１１ａを形成することができる。例えば、第１本体２１０には、複数個の孔形成部２１１が第１本体２１０から所定の長さ延長されて形成され、複数個の孔形成部２１１のそれぞれに部材貫通孔２１１ａを形成することができる。しかし、部材貫通孔２１１ａが第１本体２１０に形成される構成は、特に限定されず、周知の任意の構成であってもよい。
【００４０】
部材貫通孔２１１ａには、第２本体２２０に備えられる後述の移動ガイド部材２２４が貫通することができる。そのために、第１本体２１０の部材貫通孔２１１ａ側の部分、例えば、第１本体２１０の孔形成部２１１は、第２本体２２０に形成される後述の移動ガイド孔２２２ａを通過して第２本体２２０の内部に位置することができる。
【００４１】
このような構成により、第２本体２２０が移動可能に第１本体２１０に連結されることができる。しかし、第２本体２２０が移動可能に第１本体２１０に連結される構成は、特に限定されず、移動可能に連結される構成であれば、周知の如何なる構成であってもよい。
【００４２】
第１本体２１０には、本体貫通孔２１２を形成することができる。本体貫通孔２１２を、第２本体２２０に連結される排出部３００が貫通して水供給源に連結されるようにすることができる。これにより、第２本体２２０が、図６から図８に示すように移動、例えば、昇降しても、排出部３００は水供給源に継続して連結されることができる。また、第２本体２２０の移動位置に関係なく、水供給源の水が排出部３００を介して外部に排出されることができる。
【００４３】
第２本体２２０は、第１本体２１０に移動可能に連結されることができる。
【００４４】
図３に示すように、第２本体２２０には、移動ガイド部材２２４が備えられることができる。例えば、第２本体２２０に部材連結孔２２２ｃ、２２３ａが形成され、部材連結孔２２２ｃ、２２３ａに移動ガイド部材２２４の一側と他側がそれぞれ挿入されて連結されることにより、移動ガイド部材２２４が第２本体２２０に備えられることができる。また、第２本体２２０には、移動ガイド孔２２２ａを形成することができる。そして、第１本体２１０の部材貫通孔２１１ａ側の部分、例えば、孔形成部２１１が移動ガイド孔２２２ａを通過して第２本体２２０の内部に位置することができる。このような状態で、移動ガイド部材２２４が、第１本体２１０の部材貫通孔２１１ａを貫通することができる。これにより、第２本体２２０が、第１本体２１０に移動可能に連結されることができる。
【００４５】
このような構成では、移動ガイド部材２２４及び移動ガイド孔２２２ａにより、第２本体２２０の移動がガイドされることができる。また、移動ガイド孔２２２ａの長さに応じて第２本体２２０の移動距離が変わるようにすることができる。
【００４６】
しかし、第２本体２２０が第１本体２１０に移動可能に連結される構成は、特に限定されず、移動可能に連結される構成であれば、周知の如何なる構成であってもよい。
【００４７】
第２本体２２０には、嵌込連結孔２２２ｂを形成することができる。嵌込連結孔２２２ｂには、排出部３００に含まれる後述の排出部材３５０の一部が外部に露出するように嵌め込まれて連結されることができる。これにより、排出部３００が第２本体２２０に連結されて、第２本体２２０とともに移動することができる。
【００４８】
第２本体２２０は、図３に示すように、前面形成部材２２１と、背面下面形成部材２２２と、上面形成部材２２３と、を含むことができる。前面形成部材２２１は、第２本体２２０の前面を形成することができる。背面下面形成部材２２２は、第２本体２２０の背面及び下面を形成することができる。そして、前面形成部材２２１及び背面下面形成部材２２２が連結されることにより、第２本体２２０の側面を形成することができる。また、上面形成部材２２３が前面形成部材２２１及び背面下面形成部材２２２に連結されて第２本体２２０の上面を形成することができる。
【００４９】
前面形成部材２２１には、排出部３００から水供給源の水が外部に排出されるようにするボタンＢＴが備えられることができる。また、背面下面形成部材２２２には、上述した移動ガイド孔２２２ａ、嵌込連結孔２２２ｂ、及び部材連結孔２２２ｃを形成することができる。そして、上面形成部材２２３には、部材連結孔２２３ａを形成することができる。
【００５０】
しかし、第２本体２２０の構成は、特に限定されず、第１本体２１０に移動可能に連結され、排出部３００が連結される構成であれば、周知の如何なる構成であってもよい。
【００５１】
第２本体２２０には、排出ガイド部材２２５が備えられることができる。排出ガイド部材２２５により、排出部３００から外部に排出される水がガイドされることができる。排出ガイド部材２２５は、例えば、嵌込連結孔２２２ｂの周囲の背面下面形成部材２２２の部分に備えられることができる。しかし、排出ガイド部材２２５が備えられる位置は、特に限定されず、排出部３００から外部に排出される水をガイドすることができる位置であれば、第２本体２２０の如何なる位置にも備えられることができる。
【００５２】
排出部３００は、本体部２００の第２本体２２０に連結されることができる。これにより、排出部３００は、図６から図８に示すように、本体部２００の第２本体２２０の移動に応じて第２本体２２０とともに移動することができる。
【００５３】
また、排出部３００は、水供給源の水が外部に排出されるように水供給源に連結されることができる。排出部３００は、例えば、本体部２００の第２本体２２０の移動ガイド孔２２２ａと、第１本体２１０の本体貫通孔２１２とを貫通して水供給源に連結されることができる。
【００５４】
これにより、本体部２００の第２本体２２０が移動しても、排出部３００は、水供給源に継続して連結されることができる。また、本体部２００の第２本体２２０の移動位置、すなわち、第２本体２２０とともに移動する排出部３００の移動位置に関係なく、水供給源の水が排出部３００を介して外部に排出されることができる。
【００５５】
排出部３００は、複数個のリンク部材３２０、３３０、３４０を含むことができる。複数個のリンク部材３２０、３３０、３４０には、図５に示すように、水が流動する流路ＲＦがそれぞれ形成されることができる。そして、複数個のリンク部材３２０、３３０、３４０は、流路ＲＦが密封されて連結されるように互いに回転可能に連結されることができる。
【００５６】
これにより、本体部２００の第２本体２２０の移動によって排出部３００が第２本体２２０とともに移動できるようにするとともに、水供給源の水が排出部３００の移動位置に関係なく排出部３００の流路ＲＦを流動して外部に排出されることができる。
【００５７】
このように、フレキシブル管を使用することなく、複数個のリンク部材３２０、３３０、３４０を用いることにより、排出部３００が本体部２００の第２本体２２０とともに移動できるようになり、水供給源の水が排出部３００を介して外部に排出されるようになるため、比較的小さなスペースでも水排出装置１００を移動可能にすることができる。
【００５８】
また、複数個のリンク部材３２０、３３０、３４０はそれぞれ、フレキシブル管のように曲線状に曲がった部分がないため異物が沈着しない。これにより、水排出装置１００の衛生性を向上させるとともに、使用者に異物が含まれていない水を供給することができる。
【００５９】
また、長期間使用しても、複数個のリンク部材３２０、３３０、３４０が変形したり破損しないため、水排出装置１００を介して水供給源から外部への水の排出が円滑に行われることができる。
【００６０】
図３及び図４に示すように、複数個のリンク部材３２０、３３０、３４０は、第１リンク部材３２０と、第２リンク部材３３０と、第３リンク部材３４０と、を含むことができる。しかし、複数個のリンク部材３２０、３３０、３４０の数は、特に限定されず、複数個であれば如何なる数であってもよい。
【００６１】
第１リンク部材３２０は、排出部３００に含まれる後述の供給源連結部材３１０に回転可能に連結されることができる。また、第２リンク部材３３０は、第１リンク部材３２０に回転可能に連結されることができる。そして、第３リンク部材３４０は、第２リンク部材３３０に回転可能に連結されることができる。
【００６２】
排出部３００は、供給源連結部材３１０をさらに含むことができる。供給源連結部材３１０にも流路ＲＦを形成することができる。また、供給源連結部材３１０は、水供給源に連結されることができる。例えば、供給源連結部材３１０には、流路ＲＦが延長形成され、連結管（不図示）、または水供給源に直接連結される連結具３１２を形成することができる。これにより、水供給源の水は、連結具３１２を介して供給源連結部材３１０の流路ＲＦに流入し、供給源連結部材３１０の流路ＲＦを流動することができる。
【００６３】
供給源連結部材３１０には、複数個のリンク部材３２０、３３０、３４０のうち一側のリンク部材３２０、例えば、第１リンク部材３２０が回転可能に連結されることができる。
【００６４】
供給源連結部材３１０、及び複数個のリンク部材３２０、３３０、３４０のうち一部のリンク部材３２０、３４０にはそれぞれ、第１回転連結部３１１、３２１、３４１を形成することができる。例えば、図３に示すように、供給源連結部材３１０、第１リンク部材３２０、及び第３リンク部材３４０にそれぞれ第１回転連結部３１１、３２１、３４１を形成することができる。
【００６５】
また、複数個のリンク部材３２０、３３０、３４０のうち一部のリンク部材３２０、３３０には、第１回転連結部３１１、３２１、３４１に回転可能に連結される第２回転連結部３２２、３３１を形成することができる。例えば、図３に示すように、第１リンク部材３２０及び第２リンク部材３３０にそれぞれ、第２回転連結部３２２、３３１を形成することができる。この場合、第２リンク部材３３０には、第２回転連結部３３１だけを形成することができる。
【００６６】
そして、供給源連結部材３１０と複数個のリンク部材３２０、３３０、３４０のそれぞれの流路ＲＦは、供給源連結部材３１０と複数個のリンク部材３２０、３３０、３４０の第１回転連結部３１１、３２１、３４１及び第２回転連結部３２２、３３１まで延長形成されることができる。
【００６７】
また、第２回転連結部３２２、３３１にはそれぞれ、密封部材ＯＲが備えられ、第２回転連結部３２２、３３１のそれぞれが、それぞれの第１回転連結部３１１、３２１、３４１に挿入されたとき、第２回転連結部３２２、３３１と第１回転連結部３１１、３２１、３４１の間が密封部材ＯＲによって密封されることができる。
【００６８】
このような構成により、供給源連結部材３１０と複数個のリンク部材３２０、３３０、３４０、例えば、第１から第３リンク部材３２０、３３０、３４０が、流路ＲＦが密封されて連結されるように互いに回転可能に連結されることができる。しかし、供給源連結部材３１０と複数個のリンク部材３２０、３３０、３４０が、流路ＲＦが密封されて連結されるように互いに回転可能に連結される構成は、特に限定されず、周知の如何なる構成であってもよい。
【００６９】
排出部３００は、排出部材３５０をさらに含むことができる。排出部材３５０は、複数個のリンク部材３２０、３３０、３４０のうち他側のリンク部材３４０及び本体部２００の第２本体２２０に連結されることができる。
【００７０】
例えば、排出部材３５０は、第３リンク部材３４０に嵌め込まれて連結されることができる。また、排出部材３５０が本体部２００の第２本体２２０の嵌込連結孔２２２ｂに嵌め込まれて連結されることにより、排出部材３５０が本体部２００の第２本体２２０に連結されることができる。しかし、排出部材３５０が複数個のリンク部材３２０、３３０、３４０のうち他側のリンク部材３４０に連結される構成、及び排出部材３５０が本体部２００の第２本体２２０に連結される構成は、特に限定されず、周知の如何なる構成であってもよい。
【００７１】
排出部材３５０には、排出路ＲＤを形成することができる。排出路ＲＤは、複数個のリンク部材３２０、３３０、３４０のうち他側のリンク部材３４０、例えば、第３リンク部材３４０の流路ＲＦと外部に連結されることができる。これにより、水供給源から供給源連結部材３１０の連結具３１２を介して供給源連結部材３１０の流路ＲＦに流入した水は、複数個のリンク部材３２０、３３０、３４０の流路ＲＦを流動した後、排出部材３５０の排出路ＲＤを介して外部に排出されることができる。
【００７２】
一方、供給源連結部材３１０及び複数個のリンク部材３２０、３３０、３４０の流路ＲＦの開放された部分は、プラグ部材ＰＧによって遮蔽されることができる。
【００７３】
以上のように、本発明による水排出装置を用いると、フレキシブル管を使用することなく、複数個のリンク部材を使用することにより、水排出装置が移動可能でありながら、水供給源の水を外部に排出することができ、比較的小さなスペースでも水排出装置を移動可能にするとともに、水排出装置の衛生性を向上させることにより、使用者に異物が含まれていない水を供給することができ、水排出装置を介した水供給源から外部への水の排出が円滑に行われるようにすることができる。
【００７４】
上記のように説明された水排出装置は、上記で説明された実施形態の構成が限定されて適用されるのではなく、上記実施形態が多様に変形され得るように、各実施形態の全部または一部が選択的に組み合わされて構成されることもできる。
【図１】
0006929965.tif 000002
【図２】
0006929965.tif 000003
【図３】
0006929965.tif 000004
【図４】
0006929965.tif 000005
【図５】
0006929965.tif 000006
【図６】
0006929965.tif 000007
【図７】
0006929965.tif 000008
【図８】
0006929965.tif 000009